(57)【要約】      （修正有）【課題】携帯型電子情報機器が搭載する光学装置で読み込み、その情報を解析し、案内手段により対象者を案内するシステムに用いられる、二次元カラー視覚コードを表示するための多色発光装置を提供する。【解決手段】多色発光装置１は、二次元カラー視覚コードを表示するための複数の発光区域２を備えており、発光区域２は複数の色で発光する電灯を備えており、多色発光装置１の動力源として太陽光発電ユニット３を搭載している。太陽光発電ユニット３は、太陽電池３ａと蓄電池３ｂとを備えている。また、多色発光装置１は発光区域２における電灯の発光と発色を制御する制御装置４を備えている。更に、多色発光装置１は発光区域２の数を９又は１６とし、発光区域２を隣接するように格子状に配置する。【選択図】図４
0003234950.tif 000002
【実用新案登録請求の範囲】
【請求項１】
携帯型電子情報機器が搭載している光学装置でこれを読み込み、該携帯型電子情報機器でその情報を解析し、該携帯型電子情報機器が備える案内手段により、対象者を案内するシステムに用いられる二次元カラー視覚コードを表示するための多色発光装置であって、該多色発光装置は、該二次元カラー視覚コードを表示するための複数の発光区域を備えており、該発光区域は複数の色で発光する電灯を備えており、該多色発光装置を稼働させるための動力源として太陽光発電ユニットを搭載しており、該太陽光発電ユニットは、太陽電池と蓄電池とを備えており、該太陽電池は太陽光に係るエネルギーを吸収してこれを電気エネルギーに変換するための装置であり、該蓄電池は該太陽電池によって変換された電気エネルギーを蓄えておくための電池であることを特徴とする多色発光装置。
【請求項２】
請求項１に記載した二次元カラー視覚コードを表示するための多色発光装置であって、前記発光区域における電灯の発光と発色を制御する制御装置を備えていることを特徴とする多色発光装置。
【請求項３】
請求項１又は２に記載した二次元カラー視覚コードを表示するための多色発光装置であって、前記発光区域の数を９又は１６とし、該発光区域をこれが隣接するようにして格子状に配置していることを特徴とする多色発光装置。
【考案の詳細な説明】
【技術分野】
【０００１】
本願考案は、スマートフォンやタブレット型端末といった携帯型電子情報機器に搭載されているカメラ等の光学装置でこれを読み込み、該携帯型電子情報機器でその情報を解析し、該携帯型電子情報機器が備えるスピーカー装置から所定の音声を発するといった各種の案内手段により、視覚障碍者といった対象者を案内するシステムに用いられる二次元カラー視覚コードを表示するための多色発光装置に関する。
【背景技術】
【０００２】
従来、携帯型電子情報機器が搭載しているカメラ装置で二次元カラー視覚コードを読み込み、該携帯型電子情報機器でその情報を解析し、該携帯型電子情報機器が備えるスピーカー装置から所定の音声を発する等して、対象者を案内するシステムが提案されているとともに、該システムに用いられる二次元カラー視覚コードやこれを表示するための各種の装置が提案されてきた。
【０００３】
このようなシステムは、健常者を案内するシステムとして用いることもできるが、特に視覚障碍者を案内するためのシステムとして活用されている。例えば、１０メートル前方に階段がある地点に、その情報に係る二次元カラー視覚コードを設置しておく。そして、視覚障碍者に所定のアプリケーションソフトをインストールしたスマートフォンを所持してもらい、該視覚障碍者が該地点に差し掛かると、該スマートフォンに搭載されているカメラ装置が該二次元カラー視覚コードを読み込むとともに、該スマートフォンが該二次元カラー視覚コードに係る情報を解析し、該スマートフォンが備えるスピーカー装置から「１０メートル前方に階段があります」といった音声が発せられるようにするのである。そうすると、視覚障碍者のみで行動するような場合でも、階段に躓いて転倒するといった危険が少なくなり、安全に行動し得る可能性が高まるため、好適である。
【０００４】
ここで、コードとは携帯型電子情報機器に所定の動作を行わせるための命令を表現した符号のことである。そのようなコードの内、該携帯型電子情報機器に搭載されている光学装置によって読み込まれるとともに、該携帯型電子情報機器でその情報が解析されるものは、特に視覚コードと呼ばれる。また、このような視覚コードは、該視覚コードに搭載できる情報量を多くすることができるため、平面視縦方向と横方向の二方向に情報を有する二次元コードであって、かつ、多色で該命令を表現するカラーコードであることが多い。
【０００５】
上記のような二次元カラー視覚コードとしては、以下のようなものが提案されている。即ち、長距離、高密度の視覚マーカーであって、白の背景上の黒いフレームと、前記黒いフレームに含まれる四角形のグリッドとを有し、前記グリッドは、複数のセルを構成する行及び列に分割され、各セルは異なるデータ片に対応し、前記グリッドは、互いに区別可能な異なる４つのカラートーンを有するエレメントから構成される色パレットを形成し、前記視覚マーカーは、さらに、前記グリッドのコーナーを形成し、カラートーンが含まれる４つのセルの各々において、各コーナーのセルの各々に少なくとも１つのカラートーンを有し、最も暗い前記エレメントが前記色パレットを形成する最後の値とみなされ、前記グリッドの中心セルが前記グリッドの大きさを決定し、前記中心セルを除く中央の行および列に対応する前記セルは巡回冗長検査符号を規定し、前記グリッドを形成する残りのセルは、前記視覚マーカーによって伝達され得るメッセージに割り当てられるエレメントであることを特徴とする視覚マーカーである（例えば、下記の特許文献１を参照。）。
【０００６】
また、上記のような二次元カラー視覚コードを表示するための多色発光装置も提案されている。即ち、互いに異なる色で発光する複数の発光部と、デジタル値を色度座標値に対応付ける色度座標計算部と、前記デジタル値に対応付けられた色度座標値に基づいて各前記発光部の発光量を制御する発光量制御部とを備えることを特徴とする可視光送信装置である（例えば、下記の特許文献２を参照。）。また、色度座標上に定義された複数の信号点のいずれかに対応する信号色をそれぞれ有する複数のデータセルを含むセル群を２次元に配列してなる２次元カラーコードを生成する生成手段と、前記２次元カラーコードを表示する表示手段とを有し、前記セル群は少なくとも輪郭が背景と異なる色で表されている複数の基準セルを含み、前記基準セルの前記セル群における位置、前記基準セルの形状、前記基準セルの色、及び複数の前記基準セルを頂点として形成される形状は、２次元カラーコードの受信装置に既知であるコード送信装置も提案されている（例えば、下記の特許文献３を参照。）。
【先行技術文献】
【特許文献】
【０００７】
【特許文献１】特許第６８５６９５６号公報
【特許文献２】特許第５０３１４２７号公報
【特許文献３】特開２０１７−９１１４０号公報
【考案の概要】
【考案が解決しようとする課題】
【０００８】
上記のような二次元カラー視覚コードは、紙に印刷したり、板部材に描いたりして表示することも、異なる色のＬＥＤ電灯の組み合わせといった多色発光装置を用いて可変的に表示することも可能である。確かに、二次元カラー視覚コードを紙に印刷したり、板部材に描いたりして表示することは、これを表示して所望の場所に設置する手段として簡便な手段ではある。
【０００９】
しかしながら、二次元カラー視覚コードは、ある程度の明るさを伴わなければ、携帯型電子情報機器に搭載されている光学装置が適切にこれを読み込むことができないという問題がある。即ち、二次元カラー視覚コードを紙に印刷したり、板部材に描いたりしただけで、周囲の明るさのみを頼りにしてこれを表示する場合は、地下室等の暗い場所や夜間等の暗い時間帯にあっては、該光学装置が適切にこれを読み込むことができず、対象者を適切に案内することができないのである。特に、案内をする対象者が視覚障碍者である場合、前記の例で言えば、暗い場所や時間帯にあっては階段に躓いて転倒してしまうといったおそれが高くなる。この点、多色発光装置を用いて二次元カラー視覚コードを表示すれば、周囲の明るさに左右されることなく、それ自体で十分な明るさを伴ってこれを表示することができるところ、暗い場所や時間帯にあっても、該カメラ装置が適切にこれを読み込んで、対象者を適切に案内することができ、好適である（例えば、上記の特許文献２を参照。）。特に、案内をする対象者が視覚障碍者である場合、前記の例で言えば、階段を知らせる二次元カラー視覚コードを多色発光装置で表示すれば、暗い場所や時間帯にあっても視覚障碍者が該階段に躓いて転倒してしまうといったおそれを低減することができる。
【００１０】
また、二次元カラー視覚コードを紙に印刷したり、板に描いたりして有体物の表面上に固着させてこれを表示した場合、携帯型電子情報機器への命令の内容を変更する場合は、変更した命令の内容に係る二次元カラー視覚コードを再度紙に印刷したり、板部材に描いたりして表示し直してあらためて設置しなければならず、煩雑である。即ち、前記の例で言えば、５メートル前方に階段がある地点に、その情報に係る二次元カラー視覚コードを設置し直す場合、該変更した内容に係る二次元カラー視覚コードを再度紙に印刷したり、板部材に描いたりして設置し直さなければならず、煩雑である。この点、多色発光装置を用いて二次元カラー視覚コードを可変的に表示するのであれば、該多色発光装置を形成する電灯の発光や発色を調節する等して、該変更した内容に係る二次元カラー視覚コードを簡便に表示することができるため、好適である（例えば、上記の特許文献３を参照。）。
【００１１】
上記のような理由から、二次元カラー視覚コードは、多色発光装置を用いて可変的に表示することが好適である。しかしながら、多色発光装置を用いて可変的に二次元カラー視覚コードを表示しようとすると、当該装置を稼働させるための動力源を確保する必要がある。二次元カラー視覚コードを屋内に設置するのであれば、一般に多くの建物にはコンセントが設置されているため、多色発光装置の動力源を確保することは比較的容易であるが、特にこれを屋外に設置するのであれば、その動力源を確保することが重要な課題になる。そこで、本願考案の解決しようとする第１の課題は、二次元カラー視覚コードを表示するための多色発光装置につき、これを設置する場所に拘らず稼働させることができるように、その動力源を確保することにある。
【００１２】
また、二次元カラー視覚コードを表示するための多色発光装置は、特にこれを屋外に設置する場合、それが大型の装置等であると、その周囲の交通を妨げるおそれや案内対象者が接触するおそれがある。特に、案内をする対象者が視覚障碍者である場合、これに接触して転倒するなどして負傷するおそれが高まる。そこで、本願考案の解決しようとする第２の課題は、二次元カラー視覚コードを表示するための多色発光装置につき、その構成のコンパクト化を図ることにある。
【課題を解決するための手段】
【００１３】
本願考案は、上記の各課題を解決するために提案されたものであり、以下の構成を有するものである。以下では、本願考案の構成を理解するのを補助するため、本願に添付した図面に表示した番号及び符号をあわせて記載する。
【００１４】
請求項１に係る二次元カラー視覚コードを表示するための多色発光装置（１）は、携帯型電子情報機器が搭載している光学装置でこれを読み込み、該携帯型電子情報機器でその情報を解析し、該携帯型電子情報機器が備える案内手段により、対象者を案内するシステムに用いられる二次元カラー視覚コードを表示するための多色発光装置である。多色発光装置（１）は、該二次元カラー視覚コードを表示するための複数の発光区域（２）を備えており、発光区域（２）は複数の色で発光する電灯を備えており、多色発光装置（１）を稼働させるための動力源として太陽光発電ユニット（３）を搭載している。太陽光発電ユニット（３）は、太陽電池（３ａ）と蓄電池（３ｂ）とを備えており、太陽電池（３ａ）は太陽光に係るエネルギーを吸収してこれを電気エネルギーに変換するための装置であり、蓄電池（３ｂ）は太陽電池（３ａ）によって変換された電気エネルギーを蓄えておくための電池である。
【００１５】
請求項２に係る多色発光装置（１）は、請求項１に記載した二次元カラー視覚コードを表示するための多色発光装置であって、発光区域（２）における電灯の発光と発色を制御する制御装置（４）を備えている。
【００１６】
請求項３に係る多色発光装置（１）は、請求項１又は２に記載した二次元カラー視覚コードを表示するための多色発光装置であって、発光区域（２）の数を９又は１６とし、発光区域（２）をこれが隣接するようにして格子状に配置している。
【考案の効果】
【００１７】
本願考案に係る二次元カラー視覚コードを表示するための多色発光装置（１）は、上記の通りの構成であるから、以下のような効果を奏することができる。
【００１８】
まず、請求項１に係る二次元カラー視覚コードを表示するための多色発光装置（１）は、多色発光装置（１）を稼働させるための動力源として太陽光発電ユニット（３）を搭載しているから、特にこれを屋外に設置する場合でも、その動力源を容易に確保することができる。従って、本願発明に係る二次元カラー視覚コードを表示するための多色発光装置は、これを設置する場所に拘らず稼働させることができるように、その動力源を確保するという本願考案が解決しようとする第１の課題を解決することができる。
【００１９】
そうすると、請求項１に係る二次元カラー視覚コードを表示するための多色発光装置（１）は、昼間等の明るい時間帯に太陽光発電ユニット（３）で発電及び蓄電しておくことで、暗い場所や時間帯にあっても発光区域（２）における電灯の発光と発色を行うことができる。よって、多色発光装置（１）は、十分な明るさを伴って二次元カラー視覚コードを表示することができるため、携帯型電子情報機器に搭載されている光学装置が適切にこれを読み込んで、対象者を適切に案内することができるのである。
【００２０】
また、請求項２に係る二次元カラー視覚コードを表示するための多色発光装置（１）は、発光区域（２）における電灯の発光と発色を制御する制御装置（４）を備えているから、コンパクトな構成により様々な内容の情報を伝える二次元カラー視覚コードを可変的に表示することができる。従って、本願発明に係る二次元カラー視覚コードを表示するための多色発光装置（１）は、その構成のコンパクト化を図るという本願考案が解決しようとする第２の課題を解決することができる。
【００２１】
このようにして、請求項２に係る二次元カラー視覚コードを表示するための多色発光装置（１）は、多色発光装置を用いて二次元カラー視覚コードを可変的に表示すれば、発光や発色を調節する等して、該変更した内容に係る二次元カラー視覚コードを簡便に表示することができる。
【００２２】
そして、本願考案の考案者が得た知見によれば、二次元カラー視覚コードを表示するための多色発光装置にあっては、発光区域（２）の数を９又は１６とし、発光区域（２）を隣接するように格子状に配置することで、携帯型電子情報機器が対象者を案内するシステムに用いられる情報を十分に表示することができる。従って、請求項３に係る二次元カラー視覚コードを表示するための多色発光装置（１）は、本願考案が解決しようとする第２の課題を解決するために好適である。
【図面の簡単な説明】
【００２３】
【図１】本願考案の一実施形態に係る二次元カラー視覚コードを表示するための多色発光装置を示した概略構成図である。
【図２】図１とは別の実施形態に係る二次元カラー視覚コードを表示するための多色発光装置を示した概略構成図である。
【図３】図１及び２とは別の実施形態に係る二次元カラー視覚コードを表示するための多色発光装置を示した概略構成図である。
【図４】本願考案の一実施形態に係る二次元カラー視覚コードを表示するための多色発光装置を使用する状態を示した作用効果説明図である。
【図５】本願考案の一実施形態に係る二次元カラー視覚コードを表示するための多色発光装置を使用する状態を示した作用効果説明図である。
【考案を実施するための形態】
【００２４】
以下に、本願考案の一実施形態に係る二次元カラー視覚コードを表示するための多色発光装置の構造につき、添付図面に基づいて説明する。
【００２５】
本願考案の一実施形態に係る二次元カラー視覚コードを表示するための多色発光装置（１）は、スマートフォンやタブレット型端末といった携帯型電子情報機器が搭載しているカメラ等の光学装置でこれを読み込み、該携帯型電子情報機器でその情報を解析し、該携帯型電子情報機器が備えるスピーカー装置から所定の音声を発するといった各種の案内手段により、視覚障碍者といった対象者を案内するシステムに用いられる二次元カラー視覚コードを表示するための多色発光装置に関するものである。本願では、スマートフォンに搭載されているカメラ装置で二次元カラー視覚コードを読み込み、該スマートフォンにインストールされた所定のアプリケーションソフトでその情報を解析し、該スマートフォンが備えるスピーカー装置から所定の音声を発して、視覚障碍者を案内するシステムに用いられる二次元カラー視覚コードを表示するための多色発光装置を例にして説明するが、本願考案は特にこのような二次元カラー視覚コードを表示するための多色発光装置に限定されるものではない。
【００２６】
多色発光装置（１）は、図１ないし５に図示するように、複数の発光区域（２）を備えており、それぞれの発光区域（２）は複数の色で発光する電灯を備えている。発光区域（２）には、例えば各種公知のＬＥＤ表示装置や液晶表示装置を用いることができる。特にＬＥＤ表示装置とは異なる色のＬＥＤ電灯を組み合わせた表示装置であるが、その性質上、所望の大きさや形状に形成することができるため、多色発光装置（１）を設置する場所に応じて任意の大きさや形状のものを用いることができ、発光区域（２）として用いるのに好適である。また、スマートフォンに搭載されているカメラ装置で二次元カラー視覚コードを読み込む際に、発光区域（２）において光の反射を生じると、その読み込みに支障が生じるおそれがあるが、ＬＥＤ表示装置は光の反射をほとんど生じないため、そのような支障が生じるおそれを低減することができ、発光区域（２）として用いるのに好適である。
【００２７】
多色発光装置（１）は、図１では発光区域（２）の数を９とし、図２では発光区域の数を１６とし、発光区域（２）をこれが隣接するようにして格子状に配置している。ここで、二次元カラー視覚コードを表示するに当たり、本来発光区域（２）の数及び配置は特に限定されるものではない。しかしながら、本願考案の考案者が得た知見によれば、二次元カラー視覚コードを表示するための多色発光装置にあっては、発光区域（２）の数を図１に図示するような９又は図２に図示するような１６とし、発光区域（２）をこれが隣接するように格子状に配置することにより、携帯型電子情報機器が対象者を案内するシステムに用いられる情報を十分に表示することができる。即ち、上述のように、発光区域（２）の数を９又は１６とし、発光区域（２）を隣接するように格子状に配置することにより、多色発光装置（１）はその構成のコンパクト化を図ることができ、好適である。
【００２８】
多色発光装置（１）は、図１ないし５に図示するように、発光区域における電灯の発光と発色を制御する制御装置（４）を備えている。制御装置（４）としては、各種公知のマイクロコンピューターを用いることができる。多色発光装置（１）は、制御装置（４）によって発光区域（２）における電灯の発光と発色を制御することができるから、コンパクトな構成により様々な内容の情報を伝える二次元カラー視覚コードを可変的に表示することができる。
【００２９】
多色発光装置（１）は、図１ないし５に図示するように、これを稼働させるための動力源として太陽光発電ユニット（３）を搭載している。太陽光発電ユニット（３）は、太陽電池（３ａ）と蓄電池（３ｂ）とを備えている。太陽電池（３ａ）は、太陽光に係るエネルギーを吸収してこれを電気エネルギーに変換するための装置であって、シリコンなどの半導体によって形成されたパネル状の部材のような各種公知の太陽光パネル（ソーラーパネル）を用いることができる。また、蓄電池（３ｂ）は、太陽電池によって変換された電気エネルギーを蓄えておくための電池であって、鉛蓄電池やアルカリ蓄電池といった各種公知の蓄電池を用いることができる。多色発光装置（１）は、蓄電池（３ｂ）を備えることで、太陽が出ていない夜間や曇天でも多色発光装置（１）に電気エネルギーを供給することができる。このように、多色発光装置（１）は、その動力源として上記のような太陽光発電ユニット（３）を搭載しているから、特にこれを屋外に設置する場合でも、その動力源を容易に確保することができるため、これを設置する場所に拘らず多色発光装置（１）を稼働させることができる。
【００３０】
尚、多色発光装置（１）は、図１及び２では建物の壁に取り付けて使用する壁掛け式の構造であるが、図３に図示するように下部に車輪を取り付けた台座（５）の上に支柱を介して取り付けるといった車載式の構造にすることもでき、その設置手段は特に限定されない。多色発光装置（１）をこのような車載式にすれば、これを設置する場所を変更する際に移動させ易くなって、好適である。
【００３１】
以上が、本願考案の一実施形態に係る二次元カラー視覚コードを表示するための多色発光装置の構造についての説明である。以下に、本願考案の一実施形態に係る二次元カラー視覚コードを表示するための多色発光装置の使用態様につき、添付図面に基づいて説明する。
【００３２】
図４に図示するように、例えば、１０メートル前方に階段（Ａ）がある地点に、その旨を視覚障碍者である対象者に知らせる場合、当該地点に多色発光装置（１）を設置する。前記のように、多色発光装置（１）を壁掛け式のものとするのであれば、建物の壁（Ｂ）にこれを取り付けて設置する。そして、多色発光装置（１）は、太陽光発電ユニット（３）から電気エネルギーの供給を受けるとともに、制御装置（４）の制御の下、１０メートル前方に階段がある旨の二次元カラー視覚コードを発光区域（２）に表示する。
【００３３】
そして、所定のアプリケーションソフトをインストールしたスマートフォンを所持する視覚障碍者が多色発光装置（１）を設置した場所の近傍に差し掛かると、該スマートフォンに搭載されているカメラ装置が該二次元カラー視覚コードを読み込むとともに、該二次元カラー視覚コードに係る情報を解析し、該スマートフォンが備えるスピーカー装置から「１０メートル前方に階段があります」という音声が発せられる。そうすると、視覚障碍者のみで行動するような場合でも、階段（Ａ）に躓いて転倒するといった危険が少なくなり、安全に行動し得る可能性が高まるため、好適である。
【００３４】
発光区域（２）に二次元カラー視覚コードを表示すれば、周囲の明るさに左右されることなく、それ自体で十分な明るさを伴ってこれを表示することができるため、暗い場所や時間帯にあっても、該カメラ装置が適切にこれを読み込むことができ、対象者を適切に案内することができ、好適である。特に、案内をする対象者が視覚障碍者である場合、前記の例で言えば、階段（Ａ）を知らせる二次元カラー視覚コードを多色発光装置（１）で表示すれば、暗い場所や時間帯にあっても視覚障碍者が階段（Ａ）に躓いて転倒してしまうといったおそれを低減することができる。
【００３５】
また、多色発光装置（１）は、前記のようにコンパクトに構成されているところ、特にこれを屋外に設置する場合であっても、その周囲の交通を妨げるおそれや案内対象者が接触するおそれが低減されており、特に、案内をする対象者が視覚障碍者である場合であっても、これに接触して転倒するなどして負傷するおそれが低減されている。
【００３６】
そして、５メートル前方に階段（Ａ）がある地点に、その旨を対象者に知らせるべく、その情報を記録した二次元カラー視覚コードを表示するために多色発光装置（１）を設置し直す場合、図５に図示するように、当該地点に多色発光装置（１）を設置する。そして、制御装置（４）を介して発光や発色を調節する等して、５メートル前方に階段がある旨の情報に係る二次元カラー視覚コードに変更して、これを発光区域（２）に表示する。
【符号の説明】
【００３７】
１  多色発光装置
２  発光区域
３  太陽光発電ユニット
３ａ  太陽電池
３ｂ  畜電池
４  制御装置
５  台座
Ａ  階段
Ｂ  建物の壁
【図１】
0003234950.tif 000003
【図２】
0003234950.tif 000004
【図３】
0003234950.tif 000005
【図４】
0003234950.tif 000006
【図５】
0003234950.tif 000007